(57)【要約】【課題】バウンスフラッシュ効果が得られない場合をあらかじめ判断し、効果的なストロボ撮影を可能にする撮像装置を提供すること。【解決手段】本体内部に姿勢検出部を有する撮像装置と、前記撮像装置に装着可能な照射方向可変ストロボ装置において、前記ストロボ装置内部に姿勢角度検出可能な姿勢検出部を有し、設定したバウンス位置へオートでバウンス駆動することが可能な構成において、撮像装置本体の姿勢角度検出結果と、ストロボ装置の姿勢角度検出結果を、所定回数もしくは所定時間内で比較し、全て一致する場合もしくは姿勢角度検出結果の差分が所定範囲内の値をとる場合以外はオートバウンス駆動制御を禁止する撮像装置を提供することを特徴とする。【選択図】図１
2016080741.tif 000002
【特許請求の範囲】
【請求項１】
本体内部に姿勢検出部（116）を有する撮像装置と、前記撮像装置に装着可能な照射方向可変ストロボ装置（120,201）において、前記ストロボ装置内部に姿勢角度検出可能な姿勢検出部（205）を有し、設定したバウンス位置(206)へオートでバウンス駆動(204)することが可能な構成において、撮像装置本体の姿勢角度検出結果（S303）と、ストロボ装置の姿勢角度検出結果（S304）を、所定回数もしくは所定時間内で比較し（S305）、全て一致する場合もしくは姿勢角度検出結果の差分が所定範囲内の値をとる場合以外はオートバウンス駆動制御を禁止する（S306）ことを特徴とする撮像装置。
【請求項２】
前記撮像装置において、オートバウンス駆動制御モードを切り替えることを特徴とする請求項１に記載の撮像装置。
【発明の詳細な説明】
【技術分野】
【０００１】
本発明は、撮像装置に関し、特にストロボ撮影制御に関する。
【背景技術】
【０００２】
従来、ストロボ光を天井等に向けて照射して天井等からの拡散反射光を被写体に照射するバウンスストロボ撮影がよく知られている。バウンスストロボ撮影によれば、被写体を間接的に照明することができるため、柔らかい光での描写が可能となる。
【０００３】
さらに、プリ発光やレーザー照射等を行い、被写体と天井のそれぞれの反射光をストロボの受光センサーで測定し、その測定値をもとに、被写体に柔らかい光で描写ができるように最適なバウンス角度を決定して駆動する、オートバウンス駆動制御が考案されている。これにより、ユーザーがバウンス角度を設定することなく最適なバウンス撮影が可能となっている。
【０００４】
特許文献１では、バウンスフラッシュ撮影時における天井へフラッシュを発光させるときの該フラッシュ発光部の角度を、カメラの上方にある物体迄の距離及び被写体距離情報により自動的に設定することができるバウンスフラッシュ撮影の可能なカメラ が開示されている。
【先行技術文献】
【特許文献】
【０００５】
【特許文献１】特開平04-340527号公報
【発明の概要】
【発明が解決しようとする課題】
【０００６】
しかしながら、上述の特許文献１に開示された従来技術では、外部ストロボが直接カメラに装着された状態と、シューコードによる接続状態を区別できず、シューコード接続によりストロボ姿勢が不安定であったり光軸方向が異なるなど、バウンスフラッシュ効果が適切に得られない場合でもオートバウンス駆動機能が動作してしまう。
【０００７】
そこで、本発明の目的は、バウンスフラッシュ効果が得られない場合をあらかじめ判断し、効果的なストロボ撮影を可能にした撮像装置を提供することにある。
【課題を解決するための手段】
【０００８】
上記目的を達成するために、本発明は、カメラ内部の姿勢センサと、ストロボ本体部の姿勢センサでの位置・角度検出を所定回数、もしくは所定時間内行い、カメラ本体とストロボ本体の検出結果が一致しない場合、もしくは検出結果の差分が一定以上である場合にオフシュー接続と判断して、オートバウンス禁止、もしくはオートバウンスモードを切り替える撮像装置を提供することを特徴とする。
【発明の効果】
【０００９】
本発明によれば、シュー接続時のカメラ本体とストロボの位置姿勢が異なる場合を判別することでバウンスフラッシュ効果が得られない場合をあらかじめ判断でき、効果的なストロボ撮影が可能になる。
【図面の簡単な説明】
【００１０】
【図１】撮像装置のカメラ撮影制御フローチャートである。
【図２】撮像装置のストロボ制御フローチャートである。
【図３】撮像装置のカメラ構成例を示したブロック図である。
【図４】撮像装置のストロボ構成例を示したブロック図である。
【図５】撮像装置の１実施形態としての撮像装置の概略図である。
【発明を実施するための形態】
【００１１】
以下に、本発明の好ましい実施の形態を、添付の図面に基づいて詳細に説明する。図１、２は、本発明の実施形態にかかわる撮像装置のフローチャート、図３はカメラのブロック図、図４はストロボのブロック図、図５は本発明の実施形態に関わる撮像装置の概略図である。
【００１２】
まず、図３に基づき、カメラの構成について説明する。１０１は撮影シーケンスなどシステムを制御するためのカメラのマイクロコントローラ、１０３は被写体からの反射光を電気信号に変換するＣＣＤやＣＭＯＳ等の撮像素子、１０２は撮像素子１０３を動作させるために必要なタイミング信号を発生するタイミング信号発生回路である。１０４は撮像素子から読み出されたアナログ画像データをデジタル画像データに変換するＡ／Ｄ変換器、１０５はメモリの読み書きやバッファメモリ１０６のリフレッシュ動作などを制御するためのメモリコントローラである。
【００１３】
１０７はバッファメモリに蓄えられた画像データを表示する画像表示部、１０８は記録媒体との接続のためのインターフェース、１０９はメモリカードやハードディスクなどの記録媒体である。モーター制御部１１０は、露出動作時にＭＰＵ１０１からの信号に従って不図示のモーターを制御することにより、不図示のミラーのアップ・ダウンやシャッターのチャージを行わせる。シャッター制御部１１１は、ＭＰＵ１０１からの信号に従って、不図示のシャッター先幕、シャッター後幕の通電をカットし幕走行させ、露出動作を制御する。
【００１４】
測光部１１２は、画面内の各エリアの輝度信号として、画面内を複数のエリアに分割した多分割測光センサー１１３からの出力をＭＰＵ１０１に出力する。ＭＰＵ１０１はこの輝度信号を不図示のＡ／Ｄ変換器により変換を行い、撮影の露出調節のためのＡＶ（絞り値）、ＴＶ（シャッタースピード）、ＩＳＯ（撮像素子の感度）等の測光演算を行う。また測光部１１２は同様に、外部ストロボ、または内蔵ストロボ１２０にて被写体へ向けて予備（プリ）発光した時の輝度信号をＭＰＵ１０１に出力し、露出時のストロボメイン発光量の演算も行う。
【００１５】
レンズ制御部１１４は、不図示のレンズマウント接点を介してＭＰＵ１０１と通信し、不図示のレンズ駆動モーター及びレンズ絞りモーターを動作させ、レンズの焦点調節と絞りを制御している。１１５は焦点検出部で、ＡＦ(オートフォーカス)のための被写体に対するデフォーカス量を検出する機能を有する。
【００１６】
１１６は姿勢検出部で重力方向と光軸を中心とした回転方向に対するカメラの傾きを検出する。１１７はカメラの操作部材でＳＷ１は、不図示のレリーズボタンの第１ストロークでＯＮし、ＡＦおよび測光を開始させる。ＳＷ２は、レリーズボタンの第２ストロークでＯＮし、露出動作を開始させる。不図示のオートバウンス開始スイッチは、ＯＮすることにより後述するストロボのヘッド部を所定の角度へオートで駆動させることができる。ＳＷ１，ＳＷ２、オートバウンススイッチ及びその他不図示のカメラの操作部材からの信号は、スイッチ操作部１１７が検知し、ＭＰＵ１０１に信号を送る。
【００１７】
ストロボ制御部１１８では、発光パターン（プリ発光指示orメイン発光指示）や、メイン発光量等の発光処理を行う。また、内蔵ストロボ１１９と外部ストロボ１２０のどちらを使用するかの切り替え制御も行っている。また、外部ストロボ１２０との通信はストロボ制御部１１８を介して行う。
【００１８】
次に、図４に基づき、ストロボの構成について説明する。ストロボ本体部にある２０１は発光制御シーケンス、ストロボヘッド部の角度決定などシステムを制御するためのストロボのマイクロコントローラである。ストロボヘッド部にある発光部２０２は、ＭＰＵ２０１からの発光信号に従って、ストロボ光を発光する不図示のストロボ発光回路を備えている。
【００１９】
２０３は測距用測光部で発光部２０２から放たれたストロボ光が測距対象に反射し、反射光を不図示の測距用測光センサーで受光し、ＭＰＵ２０１に出力する。ＭＰＵ２０１はこの輝度信号を不図示のＡ／Ｄ変換器により変換を行い、その変換量に応じた距離を算出する。ヘッド駆動制御部２０４は、ＭＰＵ２０１からの信号に従って不図示のモーターを制御することにより、ストロボヘッド部をストロボ本体部に対して水平/垂直方向に駆動させることができる。また、その駆動量を取得し、ストロボ本体部に対する相対位置としてＭＰＵ２０１に出力する。
【００２０】
２０５は姿勢検出部で重力方向と光軸を中心とした回転方向に対するストロボ本体部の傾きを取得する。２０６はバウンス角度演算部であり、測距用測光部２０３で取得したデータと姿勢検出２０５で取得したデータをもとに最適なバウンス角度を算出する。２０７はストロボ操作部材であり、ボタン/スイッチをＯＮすることによって、その検出信号はＭＰＵ２０１に送られる。不図示のオートバウンス開始スイッチは、ＯＮすることによりストロボヘッド部を所定の角度へオートで駆動させることができる。２０８はカメラとの接続部を表す。このカメラ接続部２０８を介してカメラと通信する。
【００２１】
以下、図１、２、５を参照して、本発明の実施例の動作について説明する。最初にカメラ側の撮影フローについて説明する。ステップＳ３０１にて スイッチ操作部１１７の不図示のＳＷ１の状態検知を行い、ＯＮの場合はステップＳ３０２へ、ＯＦＦの場合はＳＷ１の状態検知を継続する。ステップＳ３０２では、レンズ制御部、測光部にてＡＦおよび測光を行う。ステップＳ３０３では、カメラ内姿勢検出部１１６にて、カメラ側の姿勢検出を行う。
【００２２】
ステップＳ３０４では、ストロボ内姿勢検出部２０５にて検出されたストロボ側の姿勢検出結果を、カメラ接続部２０８を介してカメラ側に取得する。ステップＳ３０５にて、カメラ・ストロボ双方の姿勢検出が所定回数経過したか、もしくは所定時間経過したかを確認し、経過していない場合はステップＳ３０３に戻り、経過した場合はステップＳ３０６に進む。
【００２３】
ステップＳ３０６では、ステップＳ３０３、Ｓ３０４で取得した取得値ａ, ｂを比較し、取得したデータ数全てにおいて一致、もしくは姿勢角度検出結果の差分全てが所定範囲内におさまっていた場合は、ストロボがカメラ本体に直接装着されているとみなし、Ｓ３０７に進みストロボにオートバウンス施行を指示する。例えば、図５（ａ）のように、ストロボがカメラ本体に直接装着されている場合は、カメラ・ストロボ双方の光軸方向は一定期間内継続して一致し、姿勢検出結果も一致する。
【００２４】
一方、図５（ｂ）のようにストロボがシューコードを介してカメラ本体に接続されている場合、ストロボとカメラの位置関係は任意となり姿勢検出結果も異なる。このように、取得したデータの差分が一定期間内に所定範囲におさまっていなかった場合には、ストロボはカメラには固定されていないとみなし、Ｓ３０８に進みオートバウンス駆動は行わない。
【００２５】
ステップＳ３０８では スイッチ操作部１１７の不図示のＳＷ２の状態検知を行い、ＯＮの場合はステップＳ３０９へ、ＯＦＦの場合はＳＷ２の状態検知を継続する。
【００２６】
ステップＳ３０９では、ストロボからのオートバウンス終了通知のチェックを行う。ストロボ側から送信されたオートバウンス終了通知を取得していればＳ３１０へ移行し、取得していなければＳ３０８へ戻る。
【００２７】
ステップＳ３１０では、ストロボの発光制御を行う。まず、ＭＰＵ１０１はストロボ制御部１１８に対して予備（プリ）発光を指令する。発光制御部１１８はストロボに対して所定光量でのプリ発光指示を通信し、ストロボ発光が開始される。ＭＰＵ１０１はこの予備（プリ）発光した時の輝度信号をもとに露出時のストロボメイン発光量を算出し、発光制御部１１８に対してメイン発光を指令する。
【００２８】
そして、発光制御部１１８はストロボに対して所定光量でのメイン発光指示を通信し、ストロボ発光が開始される。カメラＭＰＵ１０１は上記ストロボ発光に同期して、所定の露出値（ＡＶ、ＴＶ、ＩＳＯ）で、露出動作を行う。露出動作終了後、画像データを画像表示部１０７に表示、記録媒体１０９に記録して撮影動作が終了となる。
【００２９】
次にストロボ側のバウンス制御について説明する。ステップＳ４０１では、姿勢検出部２０５から重力方向と光軸を中心とした回転方向に対するストロボ本体部の傾き（カメラ水平位置を基準）を取得する。ステップＳ４０２では、カメラからのオートバウンス指示通知のチェックを行う。カメラ側からのステップＳ３０９で送信されたオートバウンス指示通知を取得していればＳ４０３へ移行し、取得していなければＳ４０１へ戻る。
【００３０】
ステップＳ４０３は、後述するサブルーチンのバウンス駆動制御であり、ストロボヘッド部を天井方向へ駆動させる。天井方向への駆動量はストロボ本体部の傾きをもとにして算出される。例えば、ステップS401の重力方向の角度をＸ度、回転方向の角度を０度とした場合、駆動量は角度（９０−Ｘ）度となる。
【００３１】
ステップＳ４０４では、ステップＳ４０３にてストロボヘッド部を天井方向へ駆動した後に、プリ発光を行う。プリ発光によって発光部２０２からストロボ光が発せられ、測距対象からの反射光データを測距用測光部２０３が取得し、天井との距離を算出する。ステップＳ４０５は、後述するサブルーチンのバウンス駆動制御であり、ストロボヘッド部を撮影被写体に対して正面方向へ駆動させる。正面方向は光軸方向となるので駆動量は角度０度となる。
【００３２】
ステップＳ４０６では、ステップＳ４０５にてヘッド部を正面方向へ戻した後に、プリ発光を行う。プリ発光によって発光部２０２からストロボ光が発せられ、測距対象からの反射光データを測距用測光部２０３が取得し、被写体との距離を算出する。ステップS407にて天井距離と被写体距離から最適バウンス角度を求める。最適バウンス角度の演算の詳細は公知のため省略する。さらに詳細は省くが、最適バウンス角度の駆動量はストロボ本体部の傾きを加味して算出される。
【００３３】
ステップＳ４０８は、後述するサブルーチンのバウンス駆動制御であり、ストロボヘッド部を最適バウンス角度へ駆動させる。ステップＳ４０９では、カメラからの発光指示通知のチェックを行う。カメラ側からのステップＳ３０６で送信された発光パターン（プリ発光指示ｏｒメイン発光指示）と所定発光量を取得していればＳ４１０へ移行し、取得していなければ発光指示通知のチェックを継続する。
【００３４】
ステップＳ４１０では、上記発光パターン（プリ発光指示ｏｒメイン発光指示）と所定発光量に応じた発光制御を行う。ステップS411では、上記カメラから取得した発光パターンがプリ発光の場合は、引き続きメイン発光制御を行うためにステップＳ４０９へ戻り、取得した発光パターンがメイン発光の場合は、発光制御処理が終了となる。
【００３５】
以上の制御方法により、シュー接続時のカメラ本体とストロボの位置姿勢が異なる場合を判別することでオートバウンス効果が得られない場合をあらかじめ判断でき、効果的なストロボ撮影が可能になる。
【００３６】
以上、本発明の好ましい実施形態について説明したが、本発明はこれらの実施形態に限定されず、その要旨の範囲内で種々の変形及び変更が可能である。
【符号の説明】
【００３７】
１０１  カメラＭＰＵ、１０２  タイミング発生回路、１０３  撮像素子、
１０４  Ａ／Ｄ変換器、１０５  メモリコントローラ、１０６  バッファメモリ、
１０７  画像表示部、１０８  記録媒体Ｉ／Ｆ、１０９  記録媒体、
１１０  モーター制御部、１１１  シャッター制御部、１１２  測光部、
１１３  多分割測光センサー、１１４  レンズ制御部、１１５  焦点検出部、
１１６  姿勢検出部、１１７  スイッチ操作部、１１８  ストロボ制御部、
１１９  内蔵ストロボ、１２０  外部ストロボ、２０１  ストロボＭＰＵ、
２０２  発光部、２０３  測距用測光部、２０４  ヘッド駆動制御部、
２０５  姿勢検出部、２０６  バウンス角度演算部、２０７  スイッチ操作部、
２０８  カメラ接続部
【図１】
2016080741.tif 000003
【図２】
2016080741.tif 000004
【図３】
2016080741.tif 000005
【図４】
2016080741.tif 000006
【図５】
2016080741.tif 000007